(57)【要約】【課題】番組に関する詳細情報などは情報量を小さくしなければならず十分な情報を伝送できず、また、利用者はデジタル放送受信装置の前で番組に関する情報を確認しなければならない。【解決手段】放送番組のスケジュール情報と番組詳細情報とを記憶する番組情報記憶部と、前記放送番組のスケジュール情報と番組詳細情報とを表示する番組表表示部と、前記番組詳細情報またはその一部の送信を指示する送信指示部と、番組関連情報送信部と、送信先アドレス記憶部とを具備し、前記番組関連情報送信部は、前記送信指示部からの指示を受けて前記送信先アドレス記憶に記憶された送信先アドレスに前記番組詳細情報またはその一部を送信する。【選択図】図１
2006287775.tif 000002
【特許請求の範囲】
【請求項１】
放送番組のスケジュール情報と番組詳細情報とを記憶する番組情報記憶部と、前記放送番組のスケジュール情報と番組詳細情報とを表示する番組表表示部と、前記番組詳細情報またはその一部の送信を指示する送信指示部と、番組関連情報送信部と、送信先アドレス記憶部とを具備し、前記番組関連情報送信部は、前記送信指示部からの指示を受けて前記送信先アドレス記憶に記憶された送信先アドレスに前記番組詳細情報またはその一部を送信することを特徴とするデジタル放送受信装置。
【請求項２】
請求項１のデジタル放送受信装置と、表示部とデータ受信部を備えたデータ受信装置と、
番組詳細情報が記憶されたサーバー装置とが通信路で接続され、請求項１において送信される情報に前記サーバー装置を特定する識別子が含まれ、前記データ受信装置は、受信した情報から前記識別子を抽出して、前記サーバー装置から番組詳細情報を取得して表示することを特徴とする番組関連情報送受信システム。
【発明の詳細な説明】
【技術分野】
【０００１】
本発明は、デジタル方式で放送される放送番組情報を受信するデジタル放送受信装置に係り、特に番組関連情報を提示する番組表提示制御に関する。
【背景技術】
【０００２】
近年、テレビ放送のデジタル化が推進され、映像、音声がデジタル化されて伝送されるデジタル放送が実用化されている。このようなデジタル放送では、映像、音声、および関連したデータが、デジタル情報として符号化され多重化されて送出される。
さらに、放送信号には、イベントやプログラムについて記述したテーブルも含まれており、このテーブルには、例えば、放送番組名、番組固有のＩＤ、番組のジャンル、番組の放送開始時刻、番組放送時間、番組に関する詳細な情報などの情報が含まれる。
デジタル放送受信装置は、放送信号から映像、音声等を分離して画面に映像を表示したりスピーカー等から音声を出力するが、加えて、上記テーブルを分離して放送予定番組のスケジュールデータとして利用することができる。
【０００３】
デジタル放送受信装置は番組スケジュールを電子番組表として表形式で画面に表示し、これによって利用者はチャンネル毎の放送スケジュールや、番組の詳細な情報を知ることができ、デジタル放送受信装置によっては視聴予約や録画予約を設定することが可能になる。
【０００４】
従来のデジタル放送受信装置では、電子番組表を表示して利用者に番組スケジュールを提示したり、番組に関する詳細情報を用いて番組案内を行なったり、視聴予約や録画予約を設定するのが一般的であるが、中には、予約された番組の放送予定に変更があった場合に、利用者にメールで通知するものがある。（例えば特許文献１参照）。
【０００５】
上記のデジタル放送受信装置は設定した予約が、伝送される番組のスケジュールの更新によって設定どおり実行できない場合にメールを用いて利用者に通知するものである。
【特許文献１】特開平９−２７５５３１号公報
【発明の開示】
【発明が解決しようとする課題】
【０００６】
前述のように、デジタル放送方式は映像、音声などの番組情報と放送スケジュールや番組に関する詳細情報とを伝送することが特徴の一つとなっている。
【０００７】
これによって、デジタル放送受信装置は画面上に電子番組表を提示して番組の放送スケジュールと、それらの番組の詳細情報を提示して番組案内を行なう。
【０００８】
しかしながら、限られた伝送帯域でこれらの情報を伝送することになり、番組に関する詳細情報などは情報量を小さくしなければならないという問題がある。また、利用者はデジタル放送受信装置の前で番組に関する情報を確認しなければならない。
【課題を解決するための手段】
【０００９】
上記課題を解決するために、本発明のデジタル放送受信装置は、以下のように構成されている。
【００１０】
すなわち、本発明の請求項１記載のデジタル放送受信装置は、放送番組のスケジュール情報と番組詳細情報とを記憶する番組情報記憶部と、前記放送番組のスケジュール情報と番組詳細情報とを表示する番組表表示部と、前記番組詳細情報またはその一部の送信を指示する送信指示部と、番組関連情報送信部と、送信先アドレス記憶部とを具備し、前記番組関連情報送信部は、前記送信指示部からの指示を受けて前記送信先アドレス記憶に記憶された送信先アドレスに前記番組詳細情報またはその一部を送信するように構成される。
【００１１】
また、本発明の請求項２記載の番組関連情報送受信システムは、請求項１のデジタル放送受信装置と、表示部とデータ受信部を備えたデータ受信装置と、番組詳細情報が記憶されたサーバー装置とが通信路で接続され、請求項１において送信される情報に前記サーバー装置を特定する識別子が含まれ、前記データ受信装置は、受信した情報から前記識別子を抽出して、前記サーバー装置から番組詳細情報を取得して表示するように構成される。
【発明の効果】
【００１２】
本発明によれば、番組情報記憶部が放送番組のスケジュール情報と番組詳細情報とを記憶し、番組表表示部が前記放送番組のスケジュール情報と番組詳細情報とを表示し、送信指示部が前記番組詳細情報またはその一部の送信を指示し、前記番組関連情報送信部は、前記送信指示部からの指示を受けて前記送信先アドレス記憶に記憶された送信先アドレスに前記番組詳細情報またはその一部を送信することによって送信先アドレスとなったデータ受信装置が前記番組詳細情報またはその一部を表示することが可能となって、利用者がデジタル放送受信装置の前で番組に関する情報を確認しなければならない、という問題が解決する。
【００１３】
また、本発明によれば、デジタル放送受信装置から受信した情報から、番組詳細情報が記憶されたサーバー装置を特定することが可能となり、表示部とデータ受信部を備えたデータ受信装置は、前記サーバー装置から番組詳細情報を取得して表示することが可能となってデジタル放送受信装置の番組情報記憶部が記憶する放送番組のスケジュール情報と番組詳細情報とを凌ぐ大量の情報を番組詳細情報として受信することが可能となる。
【発明を実施するための最良の形態】
【００１４】
（実施の形態）
以下、図面を参照して、本発明の実施の形態について説明する。
図１は本発明のデジタル放送受信装置および番組関連情報送受信システムを示すブロック図である。図１において、１０１は放送番組のスケジュール情報と番組詳細情報とを記憶する番組情報記憶部であり、１０２は番組情報記憶１０１に記憶された番組情報を表示する番組情報表示部であり、１０３は前記番組詳細情報またはその一部の送信を指示する送信指示部であり、１０４は送信先アドレス記憶部であり、１０５は、前記送信指示部からの指示を受けて前記送信先アドレス記憶に記憶された送信先アドレスに前記番組詳細情報またはその一部を送信する番組関連情報送信部である。
【００１５】
また、１０６は番組詳細情報が記憶されたサーバー装置である。
さらに１０７はデータ受信装置の表示部であり、１０８はデータ受信装置のデータ受信部である。デジタル放送受信装置とサーバー装置とデータ受信装置とは通信網１０９を通して接続されている。
【００１６】
図２は、図１のデジタル放送受信機の番組関連情報を提示する番組表提示制御に関する
動作を説明するためのフローチャートである。
まず、図示されていない、デジタル放送受信装置に備わった番組情報受信部によって受信された番組情報は番組情報記憶部１０１に記憶される（２０１）。
次に、番組表表示部１０２は、番組情報記憶部１０１に記憶された番組情報を図示されていない画面上に、電子番組表として表示する（２０２）。
【００１７】
図３は、電子番組表の表示例である。
図示されていない入力手段によって利用者からの送信指示があると、送信指示部１０３は該当する番組の番組詳細情報またはその一部を送信するように、番組関連情報送信部１０５に指示を出す（２０４）。
【００１８】
ただし、送信指示部１０３の送信指示は利用者からの指示があった場合に機能するものであって、利用者からの送信指示がない場合には、電子番組表の表示状態を継続する（２０３）。
送信先アドレス記憶部１０４は、番組詳細情報またはその一部を送信すべき送信先アドレスが記憶されており、番組関連情報送信部１０５は、前記送信先アドレスに対して番組詳細情報またはその一部を送信する（２０５、２０６）。
【００１９】
図４は、図１のデータ受信装置の動作を説明するためのフローチャートである。
まず、データ受信装置のデータ受信部１０７は、デジタル放送受信機から送信された番組詳細情報を受信し、その内容を表示部１０８に表示する（４０１、４０２）。
続いて、データ受信装置は番組詳細情報に含まれるサーバー装置を特定する識別子を抽出する。番組詳細情報にサーバー装置を特定する識別子が含まれていない場合には、デジタル放送受信機から送信された番組詳細情報のみが表示される（４０３）。
サーバー装置を特定する識別子が含まれている場合には、通信網１０９を通して接続されているサーバー装置１０６から、表示すべき番組詳細情報を取得し（４０４）、表示部（１０８）に表示する。
【産業上の利用可能性】
【００２０】
本発明のデジタル放送受信装置および番組関連情報送受信システムは、情報量の大きな番組詳細情報を受信し表示することが可能になり、また、利用者はデジタル放送受信装置の前を離れて番組詳細情報を確認できる等の効果を有し、本発明は、デジタル方式で放送される放送番組情報を受信するデジタル放送受信装置に関し、特に番組関連情報を提示する番組表提示制御に関して有用である。
【図面の簡単な説明】
【００２１】
【図１】本発明の請求項１記載の実施の形態を示すブロック図
【図２】本発明の請求項１記載のデジタル放送受信装置の動作を説明するフローチャート
【図３】電子番組表の表示例を示す図
【図４】本発明の請求項２記載のデジタル放送受信装置の動作を説明するフローチャート
【符号の説明】
【００２２】
１０１  番組情報記憶部
１０２  番組表表示部
１０３  送信指示部
１０４  送信先アドレス記憶部
１０５  番組関連情報送信部
１０６  サーバー装置
１０７  データ受信部
１０８  表示部
１０９  通信網
【図１】
2006287775.tif 000003
【図２】
2006287775.tif 000004
【図３】
2006287775.tif 000005
【図４】
2006287775.tif 000006